(57)【要約】【課題】断熱効果を向上させて間欠的に開閉弁動作する熱応動式スチームトラップを提供する。【解決手段】本体１と蓋部材５から成る弁ケーシングで入口２と弁室４と出口３を形成する。導出路６を有する弁座部材７を弁室４と出口３との間に配置する。上下二つの壁部材９，１５と、両壁部材９，１５の間に外周縁を固着したダイヤフラム部材１１と、上壁部材９の上方に形成した熱伝導率の低い断熱層としての空気層１２と、上壁部材９とダイヤフラム部材１１との間に封入した膨脹媒体１０と、ダイヤフラム部材１１の導出路６側に配置され外周壁が下壁部材１５の内周壁を気密的に摺動してダイヤフラム部材１１との間に断熱層としての空気層１６が形成された弁部材１４と、から成る温度制御機素８を弁室４内に配置する。【選択図】            図１
2004218727.tif 000002
【特許請求の範囲】
【請求項１】
弁ケーシングで入口と弁室と出口を形成し、導出路を有する弁座部材を弁室と出口との間に配置し、上下二つの壁部材と、両壁部材の間に外周縁を固着したダイヤフラム部材と、上壁部材の上方に形成した熱伝導率の低い断熱層と、上壁部材とダイヤフラム部材との間に封入した膨脹媒体と、ダイヤフラム部材の導出路側に配置した弁部材とから成る温度制御機素を弁室内に配置し、膨脹媒体の膨張収縮によるダイヤフラム部材の変位によって弁部材を駆動して導出路を開閉するものにおいて、弁部材の外周壁を下壁部材の内周壁に気密的に摺動させてダイヤフラム部材と弁部材との間に熱伝導率の低い断熱層を形成したことを特徴とする熱応動式スチームトラップ。
【発明の詳細な説明】
【０００１】
【発明の属する技術分野】
本発明は、各種蒸気使用機器や蒸気配管で発生する復水を自動的に排出するスチームトラップに関し、特に、加熱されて膨脹し冷却されて収縮する媒体を含む温度制御機素を用いて、所望温度以下の流体を系外へ排出する熱応動式スチームトラップに関するものである。
【０００２】
【従来の技術】
【特許文献１】
特許第２８３５６７４号
温度制御機素を用いた熱応動式スチームトラップは、例えば特許第２８３５６７４号に示されている。これは、弁ケーシングで入口と弁室と出口を形成し、導出路を有する弁座部材を弁室と出口との間に配置し、上下二つの壁部材と、両壁部材の間に外周縁を固着したダイヤフラム部材と、上壁部材の上方に形成した熱伝導率の低い断熱層と、上壁部材とダイヤフラム部材との間に封入した膨脹媒体と、ダイヤフラム部材の導出路側に配置した弁部材とから成る温度制御機素を弁室内に配置し、膨脹媒体の膨張収縮によるダイヤフラム部材の変位によって弁部材を駆動して導出路を開閉するものである。
【０００３】
【発明が解決しようとする課題】
上記従来の熱応動式スチームトラップは、上壁部材の上方に熱伝導率の低い断熱層を形成して弁室内の熱が膨張媒体に伝わり難くしたものであり、膨脹媒体が収縮し閉弁から開弁に移るときには弁室内がより低温になってから開弁し、逆に膨脹媒体が膨脹し開弁から閉弁に移るときには弁室内がより高温になってから閉弁することにより、間欠的に開閉弁動作するものである。
【０００４】
しかしながら、ダイヤフラム部材を介して弁室内の熱が膨張媒体に伝わり易いために、断熱効果が不充分であり、改良の余地を残すものであった。従って、本発明の技術的課題は、断熱効果を向上させて間欠的に開閉弁動作する熱応動式スチームトラップを提供することである。
【０００５】
【課題を解決するための手段】
上記の技術的課題を解決するために講じた本発明の技術的手段は、弁ケーシングで入口と弁室と出口を形成し、導出路を有する弁座部材を弁室と出口との間に配置し、上下二つの壁部材と、両壁部材の間に外周縁を固着したダイヤフラム部材と、上壁部材の上方に形成した熱伝導率の低い断熱層と、上壁部材とダイヤフラム部材との間に封入した膨脹媒体と、ダイヤフラム部材の導出路側に配置した弁部材とから成る温度制御機素を弁室内に配置し、膨脹媒体の膨張収縮によるダイヤフラム部材の変位によって弁部材を駆動して導出路を開閉するものにおいて、弁部材の外周壁を下壁部材の内周壁に気密的に摺動させてダイヤフラム部材と弁部材との間に熱伝導率の低い断熱層を形成したことを特徴とする熱応動式スチームトラップにある。
【０００６】
【発明の実施の形態】
本発明の熱応動式スチームトラップは、上壁部材の上方に熱伝導率の低い断熱層を形成し、弁部材の外周壁を下壁部材の内周壁に気密的に摺動させてダイヤフラム部材と弁部材との間に熱伝導率の低い断熱層を形成したものであるので、上壁部材の上方の断熱層とダイヤフラム部材の下方の断熱層により弁室内の熱が膨張媒体に伝わり難くなる。そのため、断熱効果が向上し、より間欠的に開閉弁動作する。
【０００７】
【実施例】
上記の技術的手段の具体例を示す実施例を説明する（図１参照）。本体１には同一軸上に入口２と出口３が形成され、この入口２及び出口３と連通する弁室４が本体１にねじ結合された蓋部材５によって形成される。出口３の弁室４側開口端に、弁室４と出口３とを連通する導出路６が形成された弁座部材７がねじ結合されている。
【０００８】
弁座部材７の上方に、温度制御機素８が配置される。温度制御機素８は、上壁部材９と、上壁部材９との間に膨張媒体１０が封入されたダイヤフラム部材１１と、上壁部材９の上に固着され上壁部材９の上方に断熱層としての空気層１２が形成された断熱壁部材１３と、ダイヤフラム部材１１の外周縁を上壁部材１０との間に挟んで固着する下壁部材１５と、ダイヤフラム部材１１の導出路６側に配置され弁座部材７に離着座して導出路６を開閉し外周壁が下壁部材１５の内周壁を気密的に摺動してダイヤフラム部材１１との間に断熱層としての空気層１６が形成された弁部材１４と、から形成される。膨脹媒体１０は、水、水より沸点の低い液体、あるいはそれらの混合物で形成される。
【０００９】
温度制御機素８は、本体１と弁座部材７との間に挟んで固定された有底円筒形状の取付部材１８内に収容され、蓋部材５と温度制御機素８の断熱壁１３との間に配置したバネ１９の付勢力によって取付部材１８の段部２０に下壁部材１５の外周下面が当接保持される。取付部材１８には、底壁に流体通過孔２１と周壁に３つの流体通過窓２２が開けられている。
【００１０】
入口２から弁室４に流入する流体の温度が高い場合、膨脹媒体１０は膨脹するが、空気層１２，１６によって流体の熱が伝わり難いので、流体の温度がより高温になってから膨脹し、入口２側の流体圧力に抗してダイヤフラム部材１１が下方に変位し、弁部材１４が弁座部材７に着座して導出路６を閉止する。これによって蒸気の漏出を防止する。弁室４内の流体温度が放熱等により所定値よりも低くなると、膨脹媒体１０は収縮するが、この場合も流体の温度がより低温になってから収縮し、入口２側の流体圧力によってダイヤフラム部材１１が上方に変位し、弁部材１４が弁座部材７から離座して導出路６を開口する。これによって入口２から流入する低温の復水や空気を導出路６から出口３へ排出する。
【００１１】
【発明の効果】
上記のように本発明は、上壁部材の上方に熱伝導率の低い断熱層を形成し、弁部材の外周壁を下壁部材の内周壁に気密的に摺動させてダイヤフラム部材と弁部材との間に熱伝導率の低い断熱層を形成したものであるので、断熱効果が向上し、より間欠的に開閉弁動作するという優れた効果を生じる。
【図面の簡単な説明】
【図１】本発明の実施例の熱応動式スチームトラップの断面図。
【符号の説明】
１    本体
２    入口
３    出口
４    弁室
５    蓋部材
６    導出路
７    弁座部材
８    温度制御機素
９    上壁部材
１０    膨張媒体
１１    ダイヤフラム部材
１２    空気層
１３    断熱壁部材
１４    弁部材
１５    下壁部材
１６    空気層
【図１】
2004218727.tif 000003